(57)【要約】【課題】発話不可能な障害を持つ操作者が、同様の操作者あるいは健常者と対話を行う場合の意思の疎通が円滑に行えるようにし、対話のリズム性を向上させて、実際に話す感覚での文字による対話を可能にする。【解決手段】文字表示式対話装置Ａで１字入力する毎に文字を第１の表示領域４に表示すると共に、その入力文字を１文字ずつ相手側装置Ｂへ送信し、１回の対話文の入力終了を指示するキーを押下すると、その対話文を第３の表示領域６に表示すると共に、その対話文を相手側装置Ｂへ送信し、相手側装置Ｂから送信されてきた入力文字を第２の表示領域５に１文字ずつ順に表示すると共に、相手側装置Ｂから送信されてきた対話文を第３の表示領域６にすでに表示された対話文に追加する形で並べて表示し、相手側装置Ｂでも同様に表示を行う。【選択図】        図１
2004165774.tif 000002
【特許請求の範囲】
【請求項１】
第１の表示領域、第２の表示領域、及び第３の表示領域を有する表示手段を備え、
操作者が入力する対話文を、１文字入力毎に前記第１の表示領域に表示すると共に対話相手の装置に送信し、対話文の入力を終了すると、その入力した対話文を前記表示手段の第３の表示領域に表示し、
対話相手の装置で入力される対話文を、１文字入力毎に前記表示手段の第２の表示領域に表示すると共に、対話相手の対話文の入力が終了すると、その対話文を前記表示手段の第３の表示領域に前記操作者が入力した対話文と並べて表示することを特徴とする文字表示式対話装置。
【請求項２】
請求項１記載の文字表示式対話装置において、
対話文をキー入力する入力手段を備えたことを特徴とする文字表示式対話装置。
【請求項３】
請求項１記載の文字表示式対話装置において、
対話文をキー入力できると共に音声入力できる入力手段と、
音声入力する対話文を１文字単位で文字に変換する音声文字変換手段を備えたことを特徴とする文字表示式対話装置。
【請求項４】
操作者と通信相手とがそれぞれ請求項１の文字表示式対話装置を操作して文字表示による対話を行う文字表示式対話システムであって、
操作者が文字表示式対話装置で入力する対話文を、１文字入力毎に当該文字表示式対話装置の第１の表示領域に表示すると共に対話相手の文字表示式対話装置に送信して第２の表示領域に表示させ、
操作者が対話文の入力を終了すると、その入力した対話文を仮名漢字変換して操作者の文字表示式対話装置の第３の表示領域に表示すると共に、対話相手の文字表示式対話装置に送信して第３の表示領域に表示させ、
対話相手の文字表示式対話装置で入力される対話文を、１文字入力毎に対話相手の文字表示式対話装置の第１の表示領域に表示すると共に、操作者の文字表示式対話装置に送信して第２の表示領域に表示させ、
対話相手が対話文の入力を終了すると、その入力した対話文を対話相手の文字表示式対話装置の第３の表示領域に操作者の対話文と並べて表示すると共に、操作者の文字表示式対話装置に送信して第３の表示領域に操作者の対話文と並べて表示させることを特徴とする文字表示式対話システム。
【請求項５】
第１の表示領域、第２の表示領域、及び第３の表示領域を有する表示手段を備えた文字表示式対話装置の文字表示式対話方法であって、
操作者が入力する対話文を、１文字入力毎に前記第１の表示領域に表示すると共に対話相手の装置に送信し、
対話文の入力を終了すると、その入力した対話文を前記表示手段の第３の表示領域に表示し、
対話相手の装置で入力される対話文を、１文字入力毎に前記表示手段の第２の表示領域に表示すると共に、対話相手の対話文の入力が終了すると、その対話文を前記表示手段の第３の表示領域に前記操作者が入力した対話文と並べて表示することを特徴とする文字表示式対話方法。
【請求項６】
操作者と通信相手とがそれぞれ請求項１の文字表示式対話装置を操作して文字表示による対話を行う文字表示式対話方法であって、
操作者が文字表示式対話装置で入力する対話文を、１文字入力毎に当該文字表示式対話装置の第１の表示領域に表示すると共に対話相手の文字表示式対話装置に送信して第２の表示領域に表示させ、
操作者が対話文の入力を終了すると、その入力した対話文を仮名漢字変換して操作者の文字表示式対話装置の第３の表示領域に表示すると共に、対話相手の文字表示式対話装置に送信して第３の表示領域に表示させ、
対話相手の文字表示式対話装置で入力される対話文を、１文字入力毎に対話相手の文字表示式対話装置の第１の表示領域に表示すると共に、操作者の文字表示式対話装置に送信して第２の表示領域に表示させ、
対話相手が対話文の入力を終了すると、その入力した対話文を対話相手の文字表示式対話装置の第３の表示領域に操作者の対話文と並べて表示すると共に、操作者の文字表示式対話装置に送信して第３の表示領域に操作者の対話文と並べて表示させることを特徴とする文字表示式対話方法。
【発明の詳細な説明】
【０００１】
【発明の属する技術分野】
本発明は、聴覚、発声、発語に障害を持つ人が同様に障害を持つ人あるいは健常者と文字表示により対話を行う文字表示式対話装置、システム、及び方法に関するものである。
【０００２】
【従来の技術】
【０００３】
【特許文献１】
特開２０００−１５１８５５公報
【０００４】
例えば、現在、厚生労働省に認定されている聴覚障害者は日本全国で３５万人おり、ＷＨＯ基準では、聴覚に障害を持っている人の数は日本全国で６００万人に及んでおり、また、発声、発語に障害を持つ人達もかなりの数にのぼっている。  これら聴覚、発声、発語に障害を持ち、音声による会話が困難な人達のコミュニケーション手段として手話が知られているが、例えば聴覚障害者で手話のできる人は聴覚障害者全体の僅か１７％に過ぎず、健常者に至っては手話ができる人はほんの僅かであるのが現状である。
【０００５】
そこで、これらの聴覚、発声、発語に障害を持ちかつ手話のできない人達（以下単に障害者という）が対話のために利用する装置として、特許文献１に示される電話機が提案されている。
この電話機は、音声だけでなく、画面上でのペン入力による筆談、筆画、ソフトキーボードの入力による対話を可能とし、着呼も音だけでなく、光や振動により感知させるようにしており、実際の対話おいて、文章の場合は１００％相手に伝えることができ、また一度に大量の情報を相手に伝えることも可能である。
【０００６】
【発明が解決しようとする課題】
上述した従来の技術では、文字で対話を行う場合、文字を入力して文章としてまとめてから送信するため、リアルタイム性に欠け、また文章だけでは話し言葉に含まれるような相手の感情や言葉のニュアンスが伝わらず、しかも、電話の向こうにいる見えない相手が発言中（入力中）であるのか、待っているのか、他のことに集中しているのもかもわからないので、対話のリズムを掴みにくく、意思の疎通が図りにくいという問題がある。
【０００７】
また、健常者が障害者と対話する場合でも、両者が共にペンやキーボードにより文字を入力しなければならず、ペンやキーボードによる文字入力の場合、特にひらがな入力やカタカナ入力、仮名漢字変換後の漢字入力等、入力に時間がかかるので、この点でも対話のリズム性に欠け、対話に時間がかかるという問題がある。
【０００８】
そのため、障害者同志の文字による対話のみならず、障害者の文字利用と健常者の音声利用の組あわせ等により適切な対話を可能とする装置やシステム及び方法が求められている。
本発明は上述した問題を解決し、上述した要求に応えるための文字表示式対話装置、システム、及び方法を実現することを課題としている。
【０００９】
【課題を解決するための手段】
そのため、本発明の文字表示式対話装置は、第１の表示領域、第２の表示領域、及び第３の表示領域を有する表示手段を備え、操作者が入力する対話文を、１文字入力毎に前記第１の表示領域に表示すると共に対話相手の装置に送信し、対話文の入力を終了すると、その入力した対話文を前記表示手段の第３の表示領域に表示し、対話相手の装置で入力される対話文を、１文字入力毎に前記表示手段の第２の表示領域に表示すると共に、対話相手の対話文の入力が終了すると、その対話文を前記表示手段の第３の表示領域に前記操作者が入力した対話文と並べて表示することを特徴とする。
【００１０】
【発明の実施の形態】
以下、図面を参照して本発明の実施の形態について説明する。
図１は第１の実施の形態の構成を示す説明図である。
図においてＡとＢは文字表示式対話装置で、２はこの両装置ＡとＢを接続する電話回線やインターネット等の通信網である。
【００１１】
文字表示式対話装置ＡとＢは同一の構成を有するもので、ここでは文字表示式対話装置Ａを例にして説明する。
尚、文字表示式対話装置Ｂは、便宜上、相手側装置Ｂと呼ぶ。
文字表示式対話装置Ａは、１及び３〜１１の構成要素を有する。
１は液晶パネル等の表示装手段、３は装置操作者が通信網２を経由して相手側装置Ｂと通信するためのＩ／Ｆ（インターフェイス）で、このＩ／Ｆ３は、通信網２が電話回線であればモデムポート、インターネットであればＩＰ対応のポートを有するものとなっている。
【００１２】
前記表示手段１は、第１〜第３の表示領域４〜６及び発光部７を備えている。第１の表示領域４は当該装置利用者の入力文字（対話文）を１文字毎にリアルタイムに表示する領域で、一定数の文字を表示できる大きさに設定されており、操作者はこの第１の表示領域４で自分の入力中の文字を確認できるようになっている。
【００１３】
第２の表示領域５は相手側装置Ｂの入力文字を１文字毎にリアルタイムに表示する領域で、第１の表示領域４同様に一定数の文字を表示できる大きさに設定されており、操作者はこの第１の表示領域４で対話相手の入力中の文字を確認できるようになっている。
第３の表示領域６は、当該文字表示式対話装置Ａと相手側装置Ｂで入力された文字列である対話文を表示する領域で、複数の対話文を順次追加しながら並べて表示できる大きさに設定されており、操作者はこの第３の表示領域６を見て対話相手との対話の流れを確認できるようになっている。
【００１４】
発光部７は１文字入力される毎に瞬時に発光（フラッシュ）あるいは点滅（ブリンク）するものである。
８はキーボード等の入力キーを有する入力手段であり、入力キーには１回の対話文の入力終了を指示するリターンキーまたは確定キーを含んでいる。
９は入力手段８のキー入力を検知して、入力された文字を第１の表示領域４に表示すると共に、その文字をＩ／Ｆ３から通信網２を介して相手側装置Ｂに送信するように制御する第１の制御手段である。
【００１５】
１０は相手側装置Ｂから通信網２を介して送られてきた文字をＩ／Ｆ３経由で検知して第２の表示領域５へ表示するよう制御する第２の制御手段である。
１１は第１の制御手段９から出力された文字列から対話文を生成して第３の表示領域６に表示すると共に、Ｉ／Ｆ３から通信網２を介して相手側装置Ｂに送信し、かつ相手側装置Ｂから通信網２を介して送られてきた文をＩ／Ｆ３経由で検知して第３の表示領域６に表示するよう制御する第３の制御手段である。
【００１６】
図２は上述した構成の作用を示すフローチャートで、このフローチャートにより対話式通信方法を説明する。
例えば、聴覚障害等の発話不可能な障害を持つ操作者が、同様の操作者あるいは健常者と対話を行う場合、まず、自身が操作する文字表示式対話装置Ａと相手側装置Ｂを通信網２で接続する。
【００１７】
そして、操作者が文字表示式対話装置Ａの入力手段８でキーを押下して文字を入力すると、そのキー入力を第１の制御手段９が検知する（Ｓ１０１）。
ここで第１の制御手段９は入力された文字を第１の表示領域４に表示し（Ｓ１０２）、同時に発光部７を瞬時発光（以下、単に発光という）あるいは点滅（Ｓ１０３）させると共に、入力文字をＩ／Ｆ３により通信網２を介して相手側装置Ｂに送信する（Ｓ１０４）。
【００１８】
相手側装置Ｂでは、第２の制御手段１０が文字表示式対話装置Ａから送信されてきた文字を第２の表示領域５に表示させると同時に発光部７を発光あるいは点滅させる。
以後、１文字ずつこのような操作を順次行い、１回の対話文（文字列）の文字を入力した後、操作者が入力手段８のリターンキーあるいは確定キーを押下すると（Ｓ１０５）、第３の制御手段１１はすべての文字を認識し、その認識文字から成る対話文を生成して第３の表示領域６に表示する（Ｓ１０６）と共に、Ｉ／Ｆ３により通信網２を介して相手側装置Ｂに送信する（Ｓ１０７）。
【００１９】
相手側装置Ｂでは第３の制御手段１１が文字表示式対話装置Ａから送信されてきた対話文を第３の表示領域６に表示させる。
いま、操作者が、例えば、「こんやのよていは」の対話文をキー入力（例、ローマ字入力）する場合の流れは次のようになる。
「Ｋ」を入力→キー入力を検知→「Ｏ」を入力→キー入力を検知→第１の表示領域４に「こ」を表示→発光部７を発光あるいは点滅→相手側装置Ｂの第２の表示領域５に「こ」を表示→相手側装置Ｂの発光部７が発光あるいは点滅→「Ｎ」を入力→キー入力を検知→「Ｎ」を入力→キー入力を検知→第１の表示領域４に「ん」を表示→発光部７を発光あるいは点滅→相手側装置Ｂの第２の表示領域５に「ん」を表示→相手側装置Ｂの発光部７が発光あるいは点滅→「Ｙ」を入力→キー入力を検知→「Ａ」を入力→キー入力を検知→第１の表示領域４に「や」を表示→発光部７を発光あるいは点滅→相手側装置Ｂの第２の表示領域５に「や」を表示→相手側装置Ｂの発光部７が発光あるいは点滅→「Ｎ」を入力→キー入力を検知→「Ｏ」を入力→キー入力を検知→第１の表示領域４に「の」を表示→発光部７を発光あるいは点滅→相手側装置Ｂの第２の表示領域５に「の」を表示→相手側装置Ｂの発光部７が発光あるいは点滅→「Ｙ」を入力→キー入力を検知→「Ｏ」を入力→キー入力を検知→第１の表示領域４に「よ」を表示→発光部７を発光あるいは点滅→相手側装置の第２の表示領域５に「や」を表示→相手装置の発光部７を発光あるいは点滅→「Ｎ」を入力→キー入力を検知→「Ｏ」を入力→キー入力を検知→第１の表示領域４に「の」を表示→発光部７を発光あるいは点滅→「Ｙ」を入力→キー入力を検知→「Ｏ」を入力→キー入力を検知→第１の表示領域４に「よ」を表示→発光部７を発光あるいは点滅→相手側装置Ｂの第２の表示領域５に「よ」を表示→相手側装置Ｂの発光部７が発光あるいは点滅→「Ｔ」を入力→キー入力を検知→「Ｅ」を入力→キー入力を検知→第１の表示領域４に「て」を表示→発光部７を発光あるいは点滅→相手側装置Ｂの第２の表示領域５に「て」を表示→相手側装置Ｂの発光部７が発光あるいは点滅→「Ｉ」を入力→キー入力を検知→第１の表示領域４に「い」を表示→発光部７を発光あるいは点滅→相手側装置Ｂの第２の表示領域５に「い」を表示→相手側装置Ｂの発光部７が発光あるいは点滅→「Ｈ」を入力→キー入力を検知→「Ａ」を入力→キー入力を検知→第１の表示領域４に「は」を表示→発光部７を発光あるいは点滅→相手側装置Ｂの第２の表示領域５に「は」を表示→相手側装置Ｂの発光部７が発光あるいは点滅→リターンキーまたは確定キー押下→「こんやのよていは」の対話文を生成→「こんやのよていは」の対話文を第３の表示領域６に表示→相手装置の第３の表示領域６に「こんやのよていは」の対話文を表示。
【００２０】
尚、この対話文の入力において、リターンキーまたは確定キーを押下する前に通常のキー入力と同様に仮名漢字変換用のキー（スペースキー）を押下した場合は仮名漢字変換されて表示される。例えば「こんやのよていは」は「今夜の予定は」に変換されて文字表示式対話装置Ａの第１の表示領域４及び相手側装置Ｂの第２の表示領域５に表示され、更に文字表示式対話装置Ａ及び相手側装置Ｂのそれぞれの第３の表示領域６にも「今夜の予定は」と表示される。
【００２１】
これに対する返事として相手側装置Ｂの入力手段８で「とくにありません」の対話文が入力された場合、相手側装置Ｂの第１の表示領域４に１文字ずつ表示が行われ、同時に１文字表示毎に発光部７が発光あるいは点滅する。
そして、その入力文字が１文字ずつ文字表示式対話装置Ａに送られてくると、第２の制御手段１０により第２の表示領域２に１文字ずつ「と」「く」「に」「あ」「り」「ま」「せ」「ん」と順に表示され、同時に１文字表示毎に発光部７が発光あるいは点滅し、その直後に「とくにありません」の対話文が相手側装置Ｂから送られてくると、第３の制御手段１１によって第３の表示領域６に「とくにありません」の対話文が表示される。
【００２２】
この場合も、相手側装置Ｂで仮名漢字変換が行われると、その仮名漢字変換された対話文がそれぞれの表示領域４〜５に表示される。
尚、第１の表示領域４及び第２の表示領域５に表示された文字は、リターンキーまたは確定キーをを押下することにより消去されるが、第３の表示領域６には双方の対話文が入力毎に追加する形で順次並べて表示される。
【００２３】
このようようにして文字表示式対話装置Ａと相手側装置Ｂで双方の操作者が互いに対話を行う。
そして入力手段８に設けられている終了キー、あるいは手段の第３の表示領域６に呼び出される終了の文字が押下されると、対話は終了となる（Ｓ１０８）。
以上説明したように第１の実施の形態によれば、１字入力する毎に文字を第１の表示領域に表示すると共に、その入力文字を１文字ずつ相手側装置へ送信し、１回の対話文の入力終了を指示するキーを押下すると、その対話文を第３の表示領域に表示すると共に、その対話文を相手側装置へ送信し、相手側装置から送信されてきた入力文字を第２の表示領域に１文字ずつ順に表示すると共に、相手側装置から送信されてきた対話文を第３の表示領域にすでに表示された対話文に追加する形で並べて表示し、相手側装置でも同様に表示を行うようにしている。
【００２４】
そのため、発話不可能な障害を持つ操作者が、同様の操作者あるいは健常者と対話を行う場合、お互いがキャッチボール的に対話を交わすことが可能になってリアルタイム性が得られ、また、第２の表示領域に入力文字が１文字ずつ順に表示されることで、相手が文字を入力しているのか、休んでいるのか、考え中なのか、といった状況を把握し易くなるだけでなく、お互いの意思を見てとれるようになり、意思の疎通が円滑になって対話のリズム性がよくなると共に、実際に話す感覚での対話が可能になるという効果が得られる。
【００２５】
また、双方の入力文字が順次第１及び第２の表示部にリアルタイムに表示されるため、対話相手が何を言おうとしているのかを途中で読み取ることも可能となり、対話の雰囲気がつかみ易くなるので音声対話に近いスピードでの対話が可能となるという効果も得られる。
図３は第２の実施の形態の構成を示す説明図である。
【００２６】
この実施の形態は、文字表示式対話装置Ａの入力手段８にキーボード等の入力キーの他に図示しないマイク等の音声入力部を設けると共に、この音声入力部から入力される操作者の音声を認識して文字に変換する音声文字変換手段１２を備えたものである。
この他の構成は第１の実施の形態と同様であるので同一の符号を付して説明を省略するが、第１の制御手段９は音声文字変換手段１２から出力される文字を１文字ずつ第１の表示領域４に表示させると共に、相手側装置Ｂに送信する機能を有しており、また第３の制御手段１１は第１の制御手段９から出力されるすべての文字を対話文として生成して第３の表示領域６に表示させると共に、相手側装置Ｂに送信する機能を有している。
【００２７】
相手側装置Ｂも同様に構成されている。
図４は上述した構成の作用を示すフローチャートで、このフローチャートにより対話式通信方法を説明する。
まず、聴覚障害等の発話の不可能な障害を持つ操作者が、同様の操作者あるいは健常者と対話を行う場合、操作者同志の文字表示式対話装置Ａと相手側装置Ｂを通信網２で接続する。
【００２８】
この状態でＳ２０１〜Ｓ２０８までのキー入力による対話の処理の流れは図２のフローチャートに示したＳ１０１〜Ｓ１０８と同様に行われるのでその説明は省略する。
Ｓ２０１でキー入力が検知されない場合、音声文字変換手段１２により音声感知が行われる。
【００２９】
すなわち、文字表示式対話装置Ａの操作者が健常者であって、キー入力をする代わりに、入力手段８に設けられているマイクなどの音声入力部から音声を入力すると、その音声を音声文字変換手段１２が感知して（Ｓ２０９）音声認識し、文字に変換して（Ｓ２１０）第１の制御手段９に出力する。
第１の制御手段９は音声文字変換手段１２から出力された文字を第１の表示部４に表示（Ｓ２１１）すると共に、発光部７を発光あるいは点滅させ（Ｓ２０３）、同時に前記文字を入力文字としてＩ／Ｆ３により通信網２を介して相手側装置Ｂに送信する（Ｓ２０４）。
【００３０】
相手側装置Ｂでは第２の制御手段１０が文字表示式対話装置Ａから送信されてきた文字を第２の表示領域５に表示し、同時に発光部７を発光あるいは点滅させる。
以後、操作者が１文字ずつ発声する毎にこのような処理を順次行い、１回の対話文を音声入力した後、操作者が入力手段８のリターンキーあるいは確定キーを押下すると（Ｓ２０５）、第３の制御手段１１は音声文字変換手段１２が出力したすべての文字を仮名漢字変換した対話文として生成し、Ｉ／Ｆ３により通信網２を介して相手装置に送信（Ｓ２０６）すると共に、第３の表示領域６に対話文を表示する（Ｓ２０７）。このとき、すでに対話文を表示されていれば、それに追加する形で並べて表示が行われる。
【００３１】
いま、操作者が、例えば、「こんやのよていは」の対話文を音声入力する場合の流れは次のようになる。
「こ」を音声入力→音声感知→第１の表示領域４に「こ」を表示→発光部７を発光あるいは点滅→相手側装置Ｂの第２の表示領域５に「こ」を表示→相手側装置Ｂの発光部７が発光あるいは点滅→「ん」を音声入力→音声感知→第１の表示領域４に「ん」を表示→発光部７を発光あるいは点滅→相手側装置Ｂの第２の表示領域５に「ん」を表示→相手側装置Ｂの発光部７が発光あるいは点滅→「や」を音声入力→音声感知→第１の表示領域４に「や」を表示→発光部７を発光あるいは点滅→相手側装置Ｂの第２の表示領域５に「や」を表示→相手側装置Ｂの発光部７が発光あるいは点滅→「の」を音声入力→音声感知→第１の表示領域４に「の」を表示→発光部７を発光あるいは点滅→相手側装置Ｂの第２の表示領域５に「の」を表示→相手側装置Ｂの発光部７が発光あるいは点滅→「よ」を音声入力→音声感知→第１の表示領域４に「よ」を表示→表示領域７を発光あるいは点滅→相手側装置の第２の表示領域５に「よ」を表示→相手装置の発光部７を発光あるいは点滅→「て」を音声入力→音声感知→第１の表示領域４に「て」を表示→発光部７を発光あるいは点滅→相手側装置Ｂの第２の表示領域５に「て」を表示→相手側装置Ｂの発光部７が発光あるいは点滅→「い」を音声入力→音声感知→第１の表示領域４に「い」を表示→発光部７を発光あるいは点滅→相手側装置Ｂの第２の表示領域５に「い」を表示→相手側装置Ｂの発光部７が発光あるいは点滅→「は」を音声入力→音声感知→第１の表示領域４に「は」を表示→発光部７を発光あるいは点滅→相手側装置Ｂの第２の表示領域５に「は」を表示→相手側装置Ｂの発光部７が発光あるいは点滅→リターンキーまたは確定キーを押下→「こんやのよていは」の対話文を生成→「こんやのよていは」の対話文を第３の表示領域６に表示→相手装置の第３の表示領域６に「こんやのよていは」の対話文を表示。
【００３２】
これに対する返事として、相手側装置Ｂの操作者が入力手段８のキーによって「と」「く」「に」「あ」「り」「ま」「せ」「ん」と順に入力した場合、相手側装置Ｂの第１の表示領域４に１文字ずつ表示が行われ、同時に１文字表示毎に発光部７が発光あるいは点滅する。
そして、その入力文字が１文字ずつ文字表示式対話装置Ａに送られてくると、第２の制御手段１０により第２の表示領域５に１文字ずつ「と」「く」「に」「あ」「り」「ま」「せ」「ん」と順に表示され、同時に１文字表示毎に発光部７が発光あるいは点滅し、その後に「とくにありません」の対話文が相手側装置Ｂの第３の表示領域６に表示されて、更にその対話文が送信されてくると、第３の制御手段１１によって第３の表示領域６に「とくにありません」の対話文が表示される。
【００３３】
この実施の形態でも第１の実施の形態と同様に仮名漢字変換が行われ、また第１の表示領域４及び第２の表示領域５に表示された文字の消去も第１の実施の形態と同様にかな漢字変換が行われる。無論、第３の表示領域６における対話文の表示も同様に行われる。
このようにして文字表示式対話装置Ａと相手側装置Ｂで双方の操作者が互いに対話を行う。
【００３４】
そして入力手段８に設けられている終了キー、あるいは手段の第３の表示領域６に呼び出される終了の文字が押下されると、対話は終了となる（Ｓ２０８）。以上説明したように第２の実施の形態によれば、第１の実施の形態と同様の効果が得られる他、入力手段に設けられた音声入力部からの音声についても１語発声する毎に文字に変換して、その文字を第１の表示部に表示すると共に相手側装置へ送信して表示し、そして１回の対話文の入力終了を指示するキーを押下すると、入力文字による対話文を第３の表示領域にすでに表示された対話文に追加する形で並べて表示し、相手側装置でも同様に表示を行うようにしているため、より対話のリズム性がよくなると共に、リアルタイム性もより向上し、実際の対話相手が何を言おうとしているのかを途中で読み取ることも可能となり、より音声対話に近い対話が可能となるという効果が得られる。
【００３５】
尚、上述した実施の形態では表示手段１の各表示領域について、上から第３の表示領域６、第２の表示領域５、第１の表示領域４及び発光部７の順に並べた例を図示したが、これに限られるものでなく、各表示領域の配置は任意に変更可能である。
また、上述した実施の形態では２台の文字表示式対話装置で対話を行うものとして説明したが３台以上の文字表示式対話装置を接続して同様に対話を行うことも可能である。
【００３６】
更に、上述した実施の形態において、文字表示式対話装置Ａと相手側装置Ｂのハードウェアとしては、携帯電話、携帯型情報端末（ＰＤＡ）、ノート型パソコン、デスクトップ型パソコン、キーボード付きテレビ電話等の利用が考えられるが、場所を選ばないという点では携帯電話やＰＤＡ及びノート型パソコンが便利である。これらは画像の送信、表示も可能であるので、後述する対話中に例えば第３の表示部６に動画、静止画、イラスト等を表示するようにしてもよい。
【００３７】
【発明の効果】
以上説明したように、本発明は、１文字入力毎に前記第１の表示領域に表示すると共に対話相手の装置に送信し、対話文の入力を終了すると、その入力した対話文を前記表示手段の第３の表示領域に表示し、対話相手の装置で入力される対話文を、１文字入力毎に前記表示手段の第２の表示領域に表示すると共に、対話相手の対話文の入力が終了すると、その対話文を前記表示手段の第３の表示領域に前記操作者が入力した対話文と並べて表示し、相手側装置でも同様に表示を行うようにしている。
【００３８】
そのため、発話不可能な障害を持つ操作者が、同様の操作者あるいは健常者と対話を行う場合、お互いがキャッチボール的に対話を交わすことが可能になってリアルタイム性が得られ、また、第２の表示領域に入力文字が１文字ずつ順に表示されることで、相手が文字を入力しているのか、休んでいるのか、考え中なのか、といった状況を把握し易くなるだけでなく、お互いの意思を見てとれるようになり、意思の疎通が円滑になって対話のリズム性がよくなると共に、実際に話す感覚での対話が可能になるという効果が得られる。
【００３９】
また、双方の入力文字が順次第１及び第２の表示領域にリアルタイムに表示されるため、対話相手が何を言おうとしているのかを途中で読み取ることも可能となり、対話の雰囲気がつかみ易くなるので音声対話に近いスピードでの対話が可能となるという効果も得られる。
【図面の簡単な説明】
【図１】第１の実施の形態の構成を示す説明図
【図２】第１の実施の形態の作用を示すフローチャート
【図３】第２の実施の形態の構成を示す説明図
【図４】第２の実施の形態の作用を示すフローチャート
【符号の説明】
Ａ，Ｂ  文字表示式対話装置
１  表示手段
２  通信網
３  Ｉ／Ｆ
４  第１の表示領域
５  第２の表示領域
６  第３の表示領域
７  発光部
８  入力手段
９  第１の制御手段
１０  第２の制御手段
１１  第３の制御手段
１２  音声文字変換手段
【図１】
2004165774.tif 000003
【図２】
2004165774.tif 000004
【図３】
2004165774.tif 000005
【図４】
2004165774.tif 000006